(57)【特許請求の範囲】
【請求項１】
ユーザ操作に応じて第１の漢字部品を指定する漢字部品指定手段と、
ユーザ操作に応じて第２の漢字部品とその組み合わせる位置とを指定する漢字部品位置指定手段と、
前記漢字部品指定手段により指定された第１の漢字部品と前記漢字部品位置指定手段により指定された第２の漢字部品およびその組み合わせる位置とに基づいて、漢字部品毎に当該漢字部品に組み合わせて漢字を構成する他の漢字部品をそれぞれその組み合わせる位置情報に対応付けて記憶する漢字部品組合せ記憶手段により記憶される各漢字部品を組み合わせた漢字の中に該当する漢字が存在するか否かを判断する組合せ可否判断手段と、
この組合せ可否判断手段による判断結果に応じた表示を行う組合せ可否表示手段と、
を備え、
前記組合せ可否表示手段は、前記組合せ可否判断手段により前記第１の漢字部品と前記第２の漢字部品およびその組み合わせる位置とに対応した漢字が存在すると判断された場合は、当該第１の漢字部品と第２の漢字部品とを前記組み合わせた漢字に置き換えて表示させる組合せ漢字表示手段と、
前記組合せ可否判断手段により前記第１の漢字部品と前記第２の漢字部品およびその組み合わせる位置とに対応した漢字が存在しないと判断された場合は、前記第２の漢字部品を消滅させる漢字部品消滅手段と、
を有することを特徴とする漢字表示装置。
【請求項２】
タッチパネル式の表示画面と、
この表示画面に複数の漢字部品を表示させる漢字部品表示手段とを備え、
前記漢字部品指定手段は、前記漢字部品表示手段により表示された複数の漢字部品からユーザ操作に応じて指定した第１の漢字部品を表示画面内にドラッグする漢字部品指定ドラッグ手段であり、
前記漢字部品位置指定手段は、前記漢字部品表示手段により表示された複数の漢字部品からユーザ操作に応じて指定した第２の漢字部品を前記漢字部品指定ドラッグ手段により表示画面内にドラッグされた第１の漢字部品の組み合わせる位置に向けてドラッグする漢字部品位置指定ドラッグ手段であり、
前記組合せ漢字表示手段は、前記組合せ可否判断手段により前記第１の漢字部品と前記第２の漢字部品およびその組み合わせる位置とに対応した漢字が存在すると判断された場合は、前記漢字部品位置指定ドラッグ手段によりドラッグされる第２の漢字部品を前記第１の漢字部品に近づく方向に強制移動して表示させた後、当該第１の漢字部品と第２の漢字部品とを前記組み合わせた漢字に置き換えて表示させ、
前記漢字部品消滅手段は、前記組合せ可否判断手段により前記第１の漢字部品と前記第２の漢字部品およびその組み合わせる位置とに対応した漢字が存在しないと判断された場合は、前記漢字部品位置指定ドラッグ手段によりドラッグされる第２の漢字部品を前記第１の漢字部品から離れる方向に強制移動して表示させた後、前記第２の漢字部品を消滅させる、
ことを特徴とする請求項１に記載の漢字表示装置。
【請求項３】
前記漢字部品組合せ記憶手段を備えることを特徴とする請求項２に記載の漢字表示装置。
【請求項４】
前記漢字部品組合せ記憶手段により記憶される各漢字部品、他の漢字部品、組み合わせた漢字のそれぞれに対応付けてその読みを記憶する読み記憶手段と、
前記漢字部品指定ドラッグ手段によりドラッグされる第１の漢字部品に対応付けて前記読み記憶手段により記憶された当該第１の漢字部品の読みを表示させる第１の漢字部品読み表示手段と、
前記漢字部品位置指定ドラッグ手段によりドラッグされる第２の漢字部品に対応付けて前記読み記憶手段により記憶された当該第２の漢字部品の読みを表示させる第２の漢字部品読み表示手段と、
前記組合せ漢字表示手段により表示される組み合わせた漢字に対応付けて前記読み記憶手段により記憶された当該組み合わせた漢字の読みを表示させる組合せ漢字読み表示手段と、
前記組合せ漢字表示手段により前記第１の漢字部品と第２の漢字部品とが前記組み合わせた漢字に置き換えられて表示された際に、前記組合せ漢字読み表示手段により表示された当該組み合わせた漢字の読みと、前記第１の漢字部品読み表示手段により表示された当該第１の漢字部品の読み又は前記第２の漢字部品読み表示手段により表示された当該第２の漢字部品の読みとが同じか否かを判断する読み同一判断手段と、
この読み同一判断手段により前記組み合わせた漢字の読みと前記第１又は第２の漢字部品の読みとが同じであると判断された場合は、前記組合せ漢字表示手段により表示された組み合わせた漢字の前記同じであると判断された漢字部品の部分と前記組合せ漢字読み表示手段により表示された組み合わせた漢字の読みとを同じ表示形態で識別して表示させる識別表示手段と、
を備えたことを特徴とする請求項３に記載の漢字表示装置。
【請求項５】
前記漢字部品位置指定ドラッグ手段によりドラッグされる第２の漢字部品が前記漢字部品指定ドラッグ手段によりドラッグされた第１の漢字部品の中又は外に組み合わされる漢字部品である場合に、外側になる漢字部品を拡大して表示させると共に、当該拡大された漢字部品の中に内側になる漢字部品を表示させる漢字部品拡大組合せ表示手段と、
この漢字部品拡大組合せ表示手段により拡大して表示された漢字部品の読みが変化した場合は、当該漢字部品に対応付けて変化後の読みを表示させる読み変化表示手段と、
を備えたことを特徴とする請求項４に記載の漢字表示装置。
【請求項６】
タッチパネル式の表示画面と、
複数の漢字部品と当該各漢字部品のイメージ画像とを対応付けて記憶する部品イメージ画像記憶手段と、
前記表示画面に前記部品イメージ画像記憶手段により記憶される複数の漢字部品のイメージ画像を表示させる部品イメージ画像表示手段とを備え、
前記漢字部品指定手段は、前記部品イメージ画像表示手段により表示された複数の漢字部品のイメージ画像からユーザ操作に応じて指定した第１の漢字部品のイメージ画像を表示画面内にドラッグするイメージ画像指定ドラッグ手段であり、
前記漢字部品位置指定手段は、前記部品イメージ画像表示手段により表示された複数の漢字部品のイメージ画像からユーザ操作に応じて指定した第２の漢字部品のイメージ画像を前記イメージ画像指定ドラッグ手段により表示画面内にドラッグされた第１の漢字部品のイメージ画像の組み合わせる位置に向けてドラッグするイメージ画像位置指定ドラッグ手段であり、
前記イメージ画像指定ドラッグ手段によりドラッグされた第１の漢字部品のイメージ画像と前記イメージ画像位置指定ドラッグ手段によりドラッグされた第２の漢字部品のイメージ画像とをそれぞれ前記部品イメージ画像記憶手段により記憶された各対応する第１の漢字部品と第２の漢字部品とに置き換えて表示させる画像部品置き換え表示手段を備え、
前記組合せ可否表示手段は、
前記組合せ可否判断手段により前記第１の漢字部品と前記第２の漢字部品およびその組み合わせる位置とに対応した漢字が存在すると判断された場合は、前記イメージ画像位置指定ドラッグ手段によりドラッグされ前記画像部品置き換え表示手段により置き換えられた第２の漢字部品を前記第１の漢字部品に近づく方向に強制移動して表示させ、
前記組合せ可否判断手段により前記第１の漢字部品と前記第２の漢字部品およびその組み合わせる位置とに対応した漢字が存在しないと判断された場合は、前記イメージ画像位置指定ドラッグ手段によりドラッグされ前記画像部品置き換え表示手段により置き換えられた第２の漢字部品を前記第１の漢字部品から離れる方向に強制移動して表示させる、
ことを特徴とする請求項１に記載の漢字表示装置。
【請求項７】
前記組合せ可否判断手段により前記第１の漢字部品と前記第２の漢字部品およびその組み合わせる位置とに対応した漢字が存在すると判断された場合に、当該漢字が前記第１の漢字部品又は第２の漢字部品の形状が変化して組み合わされた漢字か否かを判断する形状変化判断手段を備え、
前記組合せ可否表示手段は、
前記組合せ可否判断手段により前記第１の漢字部品と前記第２の漢字部品およびその組み合わせる位置とに対応した漢字が存在すると判断された場合であって、且つ前記形状変化判断手段により当該漢字が前記第１の漢字部品又は第２の漢字部品の形状が変化して組み合わされた漢字であると判断された場合は、前記漢字部品位置指定ドラッグ手段によりドラッグされる第２の漢字部品を前記第１の漢字部品に近づく方向に強制移動して表示させると共に、当該第１の漢字部品又は第２の漢字部品を前記変化した形状に変えて表示させる、
ことを特徴とする請求項２に記載の漢字表示装置。
【請求項８】
メモリと表示部とを備えた電子機器のコンピュータを制御するためのプログラムであって、
前記コンピュータを、
漢字部品毎に、当該漢字部品に組み合わせて漢字を構成する他の漢字部品をそれぞれその組み合わせる位置情報に対応付けて当該組み合わせた漢字と共に前記メモリに記憶させる漢字部品組合せ記憶手段、
ユーザ操作に応じて第１の漢字部品を指定する漢字部品指定手段、
ユーザ操作に応じて第２の漢字部品とその組み合わせる位置とを指定する漢字部品位置指定手段、
前記漢字部品指定手段により指定された第１の漢字部品と前記漢字部品位置指定手段により指定された第２の漢字部品およびその組み合わせる位置とに基づいて、前記漢字部品組合せ記憶手段により記憶される各漢字部品を組み合わせた漢字の中に該当する漢字が存在するか否かを判断する組合せ可否判断手段、
この組合せ可否判断手段による判断結果に応じた表示を前記表示部にて行う組合せ可否表示手段、
として機能させ、
前記組合せ可否表示手段は、前記組合せ可否判断手段により前記第１の漢字部品と前記第２の漢字部品およびその組み合わせる位置とに対応した漢字が存在すると判断された場合は、当該第１の漢字部品と第２の漢字部品とを前記組み合わせた漢字に置き換えて表示させる組合せ漢字表示手段と、
前記組合せ可否判断手段により前記第１の漢字部品と前記第２の漢字部品およびその組み合わせる位置とに対応した漢字が存在しないと判断された場合は、前記第２の漢字部品を消滅させる漢字部品消滅手段と、
を有するように機能させるためのプログラム。
【発明の詳細な説明】
【技術分野】
【０００１】
本発明は、漢字を学習するための漢字表示装置およびその制御プログラムに関する。
【背景技術】
【０００２】
従来、漢字の学習を行う際に、読めない漢字は辞書を引くことで、その読みおよび意味を理解していた。
【０００３】
また、電子機器により漢字を検索する際に、求める漢字の偏や部首等の部品名を複数入力することで該当する漢字を検索する漢字の検索方法が考えられている（例えば、特許文献１参照。）。
【０００４】
さらに、入力したい漢字の部首の位置とその部首を選択することで、選択された部首を持つ漢字群を表示させ、この漢字群から該当する漢字を選択して入力する漢字入力方式が考えられている（例えば、特許文献２参照。）。
【先行技術文献】
【特許文献】
【０００５】
【特許文献１】特開平０５−２８２２９４号公報
【特許文献２】特開平０６−３３７８５７号公報
【発明の概要】
【発明が解決しようとする課題】
【０００６】
従来の漢字検索方法や漢字入力方式を採用した電子機器において、漢字の部首や偏旁等の部品を学習することもできるが、検索したい漢字や入力したい漢字を予めイメージできるなかで、当該漢字を構成する部品の名称や形を覚えることが先行してしまい、生徒の興味を引いて漢字の学習意欲を高めることはできていない問題がある。
【０００７】
本発明は、このような課題に鑑みなされたもので、漢字の部品と当該部品の組み合わせからなる漢字を効果的に学習することが可能になる漢字表示装置およびその制御プログラムを提供することを目的とする。
【課題を解決するための手段】
【０００８】
本発明に係る漢字表示装置は、ユーザ操作に応じて第１の漢字部品を指定する漢字部品指定手段と、ユーザ操作に応じて第２の漢字部品とその組み合わせる位置とを指定する漢字部品位置指定手段と、前記漢字部品指定手段により指定された第１の漢字部品と前記漢字部品位置指定手段により指定された第２の漢字部品およびその組み合わせる位置とに基づいて、漢字部品毎に当該漢字部品に組み合わせて漢字を構成する他の漢字部品をそれぞれその組み合わせる位置情報に対応付けて記憶する漢字部品組合せ記憶手段により記憶される各漢字部品を組み合わせた漢字の中に該当する漢字が存在するか否かを判断する組合せ可否判断手段と、この組合せ可否判断手段による判断結果に応じた表示を行う組合せ可否表示手段と、
を備え、前記組合せ可否表示手段は、前記組合せ可否判断手段により前記第１の漢字部品と前記第２の漢字部品およびその組み合わせる位置とに対応した漢字が存在すると判断された場合は、当該第１の漢字部品と第２の漢字部品とを前記組み合わせた漢字に置き換えて表示させる組合せ漢字表示手段と、前記組合せ可否判断手段により前記第１の漢字部品と前記第２の漢字部品およびその組み合わせる位置とに対応した漢字が存在しないと判断された場合は、前記第２の漢字部品を消滅させる漢字部品消滅手段と、を備えたことを特徴としている。
【発明の効果】
【００１０】
本発明によれば、漢字の部品と当該部品の組み合わせからなる漢字を効果的に学習することが可能になる漢字表示装置およびその制御プログラムを提供できる。
【図面の簡単な説明】
【００１１】
【図１】本発明の漢字表示装置の実施形態に係るタッチパネル式情報端末装置１０の外観構成を示す正面図。
【図２】前記情報端末装置１０の電子回路の構成を示すブロック図。
【図３】前記情報端末装置１０のメモリ２２に記憶される漢字部品組合せテーブル（読みテーブル付き）２２ｂの内容を示す図。
【図４】前記情報端末装置１０のメモリ２２に記憶される漢字部品・画像テーブル２２ｃの内容を示す図。
【図５】前記電子辞書装置１０の情報表示制御処理（その１）を示すフローチャート。
【図６】前記電子辞書装置１０の情報表示制御処理（その２）を示すフローチャート。
【図７】前記電子辞書装置１０の情報表示制御処理に伴う漢字学習画面Ｇの表示動作（その１）を示す図。
【図８】前記電子辞書装置１０の情報表示制御処理に伴う漢字学習画面Ｇの表示動作（その２）を示す図。
【図９】前記電子辞書装置１０の情報表示制御処理に伴う漢字学習画面Ｇの表示動作（その３）を示す図。
【図１０】前記電子辞書装置１０の情報表示制御処理に伴う漢字学習画面Ｇの表示動作（その４）を示す図。
【図１１】前記電子辞書装置１０の情報表示制御処理に伴う漢字学習画面Ｇの表示動作（部品イメージ画像モード）を示す図。
【図１２】前記電子辞書装置１０の情報表示制御処理に伴う漢字（簡体字）学習画面の表示動作（その１）を示す図。
【図１３】前記電子辞書装置１０の情報表示制御処理に伴う漢字（簡体字）学習画面の表示動作（その２）を示す図。
【発明を実施するための形態】
【００１２】
以下図面により本発明の実施の形態について説明する。
【００１３】
図１は、本発明の漢字表示装置の実施形態に係るタッチパネル式情報端末装置１０の外観構成を示す正面図である。
【００１４】
この情報端末装置１０は、装置本体１１の上端部に電源キーなどのキー入力部へ１２を備え、また装置本体１１の正面に例えば１２インチのタッチパネル表示部１３を備える。このタッチパネル表示部１３は、ドットマトリクス型のカラー液晶表示画面１３ｄに透明タッチパネル１３ｔを重ねて構成され、このタッチパネル１３ｔにより、ユーザ操作に応じたタッチペンＰによる表示画面へのタッチ位置が当該表示画面の座標として検出される。
【００１５】
図２は、前記情報端末装置１０の電子回路の構成を示すブロック図である。
【００１６】
この情報端末装置１０の電子回路には、コンピュータであるＣＰＵ２１が備えられる。ＣＰＵ２１は、メモリ２２に予め記憶された端末制御プログラム、あるいはメモリ・カードなどの外部記録媒体２３から記録媒体読み書き部２４を介してメモリ２２に読み込まれた端末制御プログラム、あるいは通信ネットワークＮ上のＷｅｂサーバ３０から通信部２５を介してメモリ２２に読み込まれた端末制御プログラムに従い、同メモリ２２を作業領域として回路各部の動作を制御する。
【００１７】
前記メモリ２２に記憶される端末制御プログラムとしては、通信部２５を介して外部の各種電子機器と通信するための通信制御プログラム、テキスト処理，テーブル処理，画像／音声再生処理，メール処理，演算処理等を行うための各種のアプリケーションプログラムの他、漢字を漢字部品（部首・偏旁等）の組み合わせに基づき効果的に学習するための情報表示制御処理プログラム２２ａが記憶される。
【００１８】
そして、前記メモリ２２には、前記情報表示制御処理プログラム２２ａの実行に伴い使用される漢字部品組合せテーブル（読みテーブル付き）２２ｂ、漢字部品・画像テーブル２２ｃが記憶される。
【００１９】
図３は、前記情報端末装置１０のメモリ２２に記憶される漢字部品組合せテーブル（読みテーブル付き）２２ｂの内容を示す図である。
【００２０】
この漢字部品組合せテーブル（読みテーブル付き）２２ｂは、漢字を構成する各種の部品（部首・偏旁等）毎にテーブル２２ｂ１，２２ｂ２，…が用意されるもので、各テーブル２２ｂ１，２２ｂ２，…には、該当する部品に対する各位置（上／下／左／右／中／外）に追加して組み合わせ可能な追加部品と、この組み合わせにより構成された漢字とが、何れもその読みと対応付けて記憶される。
【００２１】
一例として、図３（Ａ）は漢字部品「木（き／モク）」用の組合せテーブル２２ｂ１、図３（Ｂ）は漢字部品「口（くち／コウ）」用の組合せテーブル２２ｂ２、図３（Ｃ）は漢字部品「重（おも・い／ジュウ）」用の組合せテーブル２２ｂ３を示す。
【００２２】
なお、図示した各漢字部品組合せテーブル２２ｂ１，２２ｂ２，２２ｂ３では、各部品や漢字の読みの記述を省略して示す。
【００２３】
具体的には、図３（Ａ）に示すように、漢字部品「木（き／モク）」用の組合せテーブル２２ｂ１には、「木」の上に組み合わせ可能な部品「西（にし／セイ）」と組合せ漢字「栗（くり／リツ）」、下に組み合わせ可能な部品「子（こ／シ）」と組合せ漢字「李（すもも／リ）」、同下に組み合わせ可能な部品「口（くち／コウ）」と組合せ漢字「杏（あんず／コウ）」…等が各位置の情報に対応付けて記憶される。
【００２４】
ここで、前記漢字部品「木」の下に組み合わせ可能な部品「口（くち／コウ）」と組合せ漢字「杏（あんず／コウ）」において示したように、部品「口」の読み（コウ）と漢字「杏」の読み（コウ）が同じである場合は、該当する漢字「杏」の中の部品「口」とその読み（コウ）が同じ表示形態で識別可能なデータ（例えば、太字や赤表示色のデータ）として記憶される。
【００２５】
また、図３（Ｂ）に示すように、漢字部品「口（くち／コウ）」用の組合せテーブル２２ｂ２には、「口」の上に組み合わせ可能な部品「木（き／モク）」と組合せ漢字「杏（あんず／コウ）」、下に組み合わせ可能な部品「木（き／モク）」と組合せ漢字「呆（あき・れる／ホウ）」、…、外に組み合わせ可能な部品「口（くち／コウ）」と組合せ漢字「回（まわ／カイ）」、中に組み合わせ可能な部品「木（き／モク）」と組合せ漢字「困（こま・る／コン）」…等が各位置の情報に対応付けて記憶される。
【００２６】
ここで、前記漢字部品「口」の中に組み合わせ可能な部品「木（き／モク）」と組合せ漢字「困（こま・る／コン）」において示したように、当該部品「口」の読みは（くにがまえ）に置き換えられて記憶される。
【表１】
0005831312.tif 000002
【００２７】
図４は、前記情報端末装置１０のメモリ２２に記憶される漢字部品・画像テーブル２２ｃの内容を示す図である。
【００２８】
この漢字部品・画像テーブル２２ｃは、前記漢字部品組合せテーブル２２ｂ１，２２ｂ２，…に記憶された各漢字部品をイメージ画像に置き換えるためのテーブルであり、漢字部品「木」Ｃ１には木の部品イメージ画像Ｃ１ｐ、漢字部品「本」Ｃ２には本の部品イメージ画像Ｃ２ｐ、漢字部品「口」Ｃ３には口の部品イメージ画像Ｃ３ｐが対応付けられて記憶される。
【００２９】
また、前記メモリ２２には、各種作業用の記憶領域として、表示データ領域２２ｄ、漢字部品指定データ領域２２ｂなどが確保される。
【００３０】
表示データ領域２２ｄは、タッチパネル表示部１３の表示画面領域に対応するカラービットマップデータの記憶領域を有し、この記憶領域２２ｄには、実行中のプログラムに従い生成された表示画面データが記憶される。
【００３１】
漢字部品指定データ領域２２ｂには、前記情報表示制御処理プログラム２２ａに従いタッチパネル表示部１３に表示された漢字部品一覧ＬＣを対象に、タッチペンＰによるタッチ操作に応じて指定された漢字部品Ｃｎを示すデータが記憶される。
【００３２】
このように、ＣＰＵ２１には、メモリ２２、記録媒体読み書き部２４、通信部２５、キー入力部１２、およびタッチパネル表示部１３が接続されて構成される。
【００３３】
そして、この情報端末装置１０は、タッチパネル表示部１３に表示させた漢字学習画面Ｇの漢字部品一覧ＬＣからのドラッグ操作ｄにより、任意の第１漢字部品Ｃ１の任意の位置に任意の第２漢字部品Ｃ２を組み合わせする際に、その組み合わせに対応した漢字が前記漢字部品組合せテーブル２２ｂに存在する場合には、第２漢字部品Ｃ２を第１漢字部品Ｃ１に強制的に接近させて組合せ漢字ＣＮに変換して表示する機能を有し、また、同組み合わせに対応した漢字が存在しない場合には、第２漢字部品Ｃ２を第１漢字部品Ｃ１から強制的に離間させて消滅させる機能を有する。
【００３４】
このように構成された情報端末装置１０は、ＣＰＵ２１が前記端末制御プログラム（２２ａ）に記述された命令に従い回路各部の動作を制御し、ソフトウエアとハードウエアとが協働して動作することにより、以下の動作説明で述べる情報表示制御処理に伴う漢字部品組合せ表示機能を実現する。
【００３５】
次に、前記構成の漢字部品組合せ表示機能を備えた情報端末装置１０の動作について説明する。
【００３６】
図５は、前記電子辞書装置１０の情報表示制御処理（その１）を示すフローチャートである。
【００３７】
図６は、前記電子辞書装置１０の情報表示制御処理（その２）を示すフローチャートである。
【００３８】
図７は、前記電子辞書装置１０の情報表示制御処理に伴う漢字学習画面Ｇの表示動作（その１）を示す図である。
【００３９】
タッチパネル表示部１３に表示されるアプリケーションの選択メニューから漢字学習のアプリケーションが選択されることで情報表示制御プログラム２２ａが起動されると、先ず、漢字部品をイメージ画像にして扱うための部品イメージ画像モードに設定されたか否か判断される（ステップＳ１）。
【００４０】
ここで、漢字学習の通常モードであると判断されると（ステップＳ１（Ｎｏ））、漢字部品組合せテーブル２２ｂ（図３参照）に記憶されている各漢字部品が読み出され、図７（Ａ）に示すように、漢字学習画面Ｇの漢字部品一覧ＬＣとしてタッチパネル表示部１３に表示される（ステップＳ２）。
【００４１】
ここで、前記漢字部品一覧ＬＣから任意の第１漢字部品「木」Ｃ１をタッチペンＰにより指定して画面中央方向にドラッグ(1)すると（ステップＳ３）、第１漢字部品「木」用の漢字部品組合せテーブル２２ｂ１（図３（Ａ）参照）から当該第１漢字部品「木」Ｃ１の読み（き／モク）が読み出され、当該ドラッグ(1)された第１漢字部品「木」Ｃ１に対応付けてルビ表示Ｒ１される（ステップＳ４）。
【００４２】
続いて、前記漢字部品一覧ＬＣから任意の第２漢字部品「木」Ｃ２をタッチペンＰにより指定して前記画面中央にドラッグ済みの第１漢字部品「木」Ｃ１の任意の位置、この場合は右（又は左）から接近させるようにドラッグ(2)すると（ステップＳ５）、前記漢字部品組合せテーブル２２ｂ１（図３（Ａ）参照）から当該第２漢字部品「木」Ｃ２の読み（き／モク）が読み出され、当該ドラッグ(2)された第２漢字部品「木」Ｃ２に対応付けてルビ表示Ｒ２される（ステップＳ６）。
【００４３】
ここで、前記第１漢字部品「木」Ｃ１の外枠に接する所定領域Ａｒに第２漢字部品「木」Ｃ２が入ると、前記漢字部品組合せテーブル２２ｂ１（図３（Ａ）参照）が参照され、当該第１漢字部品「木」Ｃ１の右（又は左）の位置に対し第２漢字部品「木」Ｃ２が組み合わせられた漢字「林」が存在すると判断される（ステップＳ７（Ｙｅｓ））。
【００４４】
すると、ドラッグ(2)中の第２漢字部品「木」Ｃ２の移動速度が、第１漢字部品「木」Ｃ１の右（又は左）の位置に接近する方向に強制的に加速され、図７（Ｂ）に示すように、当該第１漢字部品「木」Ｃ１の右（又は左）に第２漢字部品「木」Ｃ２が引き寄せられるように移動される（ステップＳ８）。
【００４５】
ここで、第１漢字部品「木」Ｃ１に第２漢字部品「木」Ｃ２が接触したと判断され（ステップＳ１０（Ｙｅｓ））、また、第１漢字部品「木」Ｃ１に第２漢字部品「木」Ｃ２が重ならないと判断されると（ステップＳ１１（Ｎｏ））、その組み合わせ漢字「林」ＣＮが前記漢字部品組合せテーブル２２ｂ１（図３（Ａ）参照）から読み出され、図７（Ｃ）に示すように、前記第１漢字部品「木」Ｃ１及び第２漢字部品「木」Ｃ２と置き換えられて表示される（ステップＳ１３）。
【００４６】
また、前記漢字部品組合せテーブル２２ｂ１（図３（Ａ）参照）から当該組合せ漢字「林」ＣＮの読み（はやし／リン）が読み出され、前記置き換えられた組合せ漢字「林」ＣＮに対応付けてルビ表示ＲＮされる（ステップＳ１４）。
【００４７】
これにより、ユーザ（学習者）は漢字「林」の存在を全く知らない場合でも、漢字部品「木」（き／モク）Ｃ１の右（又は左）に漢字部品「木」（き／モク）Ｃ２を組み合わせた漢字「林」（はやし／リン）ＣＮが存在することを、興味深く且つ直感的に知ることができる。
【００４８】
図８は、前記電子辞書装置１０の情報表示制御処理に伴う漢字学習画面Ｇの表示動作（その２）を示す図である。
【００４９】
前記同様に、漢字学習の部品イメージ画像モードではない通常モードにおいて、図８（Ａ）に示すように、タッチパネル表示部１３の漢字学習画面Ｇに漢字部品一覧ＬＣを表示させた状態で（ステップＳ１，Ｓ２）、この漢字部品一覧ＬＣから任意の第１漢字部品「木」Ｃ１をタッチペンＰにより指定して画面中央方向にドラッグｄすると（ステップＳ３）、第１漢字部品「木」用の漢字部品組合せテーブル２２ｂ１（図３（Ａ）参照）から当該第１漢字部品「木」Ｃ１の読み（き／モク）が読み出され、当該ドラッグｄされた第１漢字部品「木」Ｃ１に対応付けてルビ表示Ｒ１される（ステップＳ４）。
【００５０】
続いて、前記漢字部品一覧ＬＣから任意の第２漢字部品「木」Ｃ２をタッチペンＰにより指定して前記画面中央にドラッグ済みの第１漢字部品「木」Ｃ１の任意の位置、この場合は上から接近させるようにドラッグｄすると（ステップＳ５）、前記漢字部品組合せテーブル２２ｂ１（図３（Ａ）参照）から当該第２漢字部品「木」Ｃ２の読み（き／モク）が読み出され、当該ドラッグｄされた第２漢字部品「木」Ｃ２に対応付けてルビ表示Ｒ２される（ステップＳ６）。
【００５１】
ここで、前記漢字部品組合せテーブル２２ｂ１（図３（Ａ）参照）が参照され、当該第１漢字部品「木」Ｃ１の上の位置に対し第２漢字部品「木」Ｃ２が組み合わせられた漢字は存在しないと判断される（ステップＳ７（Ｎｏ））。
【００５２】
すると、図８（Ｂ）〜図８（Ｃ）に示すように、第１漢字部品「木」Ｃ１の上の位置にドラッグｄされた第２漢字部品「木」Ｃ２は、当該ドラッグ操作に抗して強制的に離間され、一定時間経過の後に消滅される（ステップＳ１５）。
【００５３】
これにより、ユーザ（学習者）は、前記図７を参照して説明した通り、漢字部品「木」（き／モク）Ｃ１の右（又は左）に漢字部品「木」（き／モク）Ｃ２を組み合わせた漢字「林」（はやし／リン）ＣＮが存在することを知ることができる一方で、同漢字部品「木」（き／モク）Ｃ１の上に漢字部品「木」（き／モク）Ｃ２を組み合わせた漢字は存在しないことを、興味深く且つ直感的に知ることができる。
【００５４】
図９は、前記電子辞書装置１０の情報表示制御処理に伴う漢字学習画面Ｇの表示動作（その３）を示す図である。
【００５５】
図９（Ａ）に示すように、漢字部品一覧ＬＣから任意の第１漢字部品「口」Ｃ１をタッチペンＰにより指定して画面中央方向にドラッグｄすると（ステップＳ１〜Ｓ３）、第１漢字部品「口」用の漢字部品組合せテーブル２２ｂ２（図３（Ｂ）参照）から当該第１漢字部品「口」Ｃ１の読み（くち／コウ）が読み出され、当該ドラッグｄされた第１漢字部品「口」Ｃ１に対応付けてルビ表示Ｒ１される（ステップＳ４）。
【００５６】
続いて、前記漢字部品一覧ＬＣから任意の第２の漢字部品「玉」Ｃ２をタッチペンＰにより指定して前記画面中央にドラッグ済みの第１漢字部品「口」Ｃ１に接近させるようにドラッグｄすると（ステップＳ５）、前記漢字部品組合せテーブル２２ｂ２（図３（Ｂ）参照）から当該第２漢字部品「玉」Ｃ２の読み（たま／ギョク）が読み出され、当該ドラッグｄされた第２漢字部品「玉」Ｃ２に対応付けてルビ表示Ｒ２される（ステップＳ６）。
【００５７】
ここで、前記第１漢字部品「口」Ｃ１の外枠に接する所定領域Ａｒに第２漢字部品「玉」Ｃ２が入ると、前記漢字部品組合せテーブル２２ｂ２（図３（Ｂ）参照）が参照され、当該第１漢字部品「口」Ｃ１の中に対し第２漢字部品「玉」Ｃ２が組み合わせられた漢字「国」が存在すると判断される（ステップＳ７（Ｙｅｓ））。
【００５８】
この後、ユーザが前記第２漢字部品「玉」Ｃ２を引き続き第１漢字部品「口」Ｃ１に接する方向にドラッグ操作することで、当該第２漢字部品「玉」Ｃ２が第１漢字部品「口」Ｃ１に接触し（ステップＳ８〜Ｓ１０（Ｙｅｓ））、さらに同各漢字部品「口」Ｃ１と「玉」Ｃ２が重なったと判断されると（ステップＳ１１（Ｙｅｓ））、前記漢字部品組合せテーブル２２ｂ２（図３（Ｂ）参照）に基づき存在すると判断された組合せ漢字「国」ＣＮは、一方の漢字部品「口」Ｃ１が他方の漢字部品「玉」Ｃ２を中に含む組み合わせであると判断される（ステップＳ１２（Ｙｅｓ））。
【００５９】
すると、外側になる一方の漢字部品「口」（くち／コウ）Ｃ１の読みが（くにがまえ）に変化したと判断され（ステップＳ１６（Ｙｅｓ））、図９（Ｂ）に示すように、当該変化後の読み（くにがまえ）が同一方の漢字部品「口」Ｃ１に対応付けられてルビ表示Ｒ１′される（ステップＳ１８）。
【００６０】
そして、外側になる一方の漢字部品「口」（くにがまえ）Ｃ１が拡大表示されると共に、内側になる他方の漢字部品「玉」Ｃ２が同一方の漢字部品「口」の中に引き寄せられるように強制的に移動されて表示された後（ステップＳ１７）、その組み合わせ漢字「国」ＣＮが前記漢字部品組合せテーブル２２ｂ２（図３（Ｂ）参照）から読み出され、図９（Ｃ）に示すように、前記拡大表示された各漢字部品Ｃ１，Ｃ２と置き換えられて表示される（ステップＳ１３）。
【００６１】
また、前記漢字部品組合せテーブル２２ｂ２（図３（Ｂ）参照）から当該組合せ漢字「国」ＣＮの読み（くに／コク）が読み出され、前記置き換えられた組合せ漢字「国」ＣＮに対応付けてルビ表示ＲＮされる（ステップＳ１４）。
【００６２】
これにより、ユーザ（学習者）は漢字「国」の存在を全く知らない場合でも、漢字部品「口」（くにがまえ）Ｃ１の中に漢字部品「玉」（たま／ギョク）Ｃ２を組み合わせた漢字「国」（くに／コク）ＣＮが存在することを、興味深く且つ直感的に知ることができる。
【００６３】
図１０は、前記電子辞書装置１０の情報表示制御処理に伴う漢字学習画面Ｇの表示動作（その４）を示す図である。
【００６４】
図１０（Ａ）に示すように、漢字部品一覧ＬＣから第１漢字部品「口」（くち／コウ）Ｃ１を指定して画面中央にドラッグｄした後に（ステップＳ１〜Ｓ４）、第２漢字部品「木」（き／モク）Ｃ２を指定し、図１０（Ｂ）に示すように、前記第１漢字部品「口」Ｃ１の上から接近するようにドラッグｄすると（ステップＳ５，Ｓ６）、当該第１漢字部品「口」用の漢字部品組合せテーブル２２ｂ２（図３（Ｂ）参照）に基づき、前記第２漢字部品「木」Ｃ２を上に組み合わせた漢字「杏」が存在すると判断されると共に、同第２漢字部品「木」Ｃ２を中に組み合わせた漢字「困」も存在すると判断される（ステップＳ７（Ｙｅｓ））。
【００６５】
すると、ドラッグｄ中の第２漢字部品「木」Ｃ２の移動速度が、第１漢字部品「口」Ｃ１に接近する方向に強制的に加速され、当該第１漢字部品「口」Ｃ１の上に第２漢字部品「木」Ｃ２が引き寄せられるように移動される（ステップＳ８）。
【００６６】
そして、第１漢字部品「口」Ｃ１に第２漢字部品「木」Ｃ２が接触したと判断された状態で（ステップＳ１０（Ｙｅｓ））、図１０（Ｃ）に示すように、第２漢字部品「木」Ｃ２の第１漢字部品「口」Ｃ１に向けたドラッグ操作がさらに継続され、同各漢字部品「口」Ｃ１，「木」Ｃ２が重なったと判断されると（ステップＳ１１（Ｙｅｓ））、前記漢字部品組合せテーブル２２ｂ２（図３（Ｂ）参照）に基づき存在すると判断された組合せ漢字「困」は、一方の漢字部品「口」Ｃ１が他方の漢字部品「木」Ｃ２を中に含む組み合わせであると判断される（ステップＳ１２（Ｙｅｓ））。
【００６７】
すると、外側になる一方の漢字部品「口」（くち／コウ）Ｃ１の読みが（くにがまえ）に変化したと判断され（ステップＳ１６（Ｙｅｓ））、当該変化後の読み（くにがまえ）が同一方の漢字部品「口」Ｃ１に対応付けられてルビ表示Ｒ１′される（ステップＳ１８）。
【００６８】
そして、外側になる一方の漢字部品「口」（くにがまえ）Ｃ１が拡大表示されると共に、図１０（Ｄ）〜図１０（Ｅ）に示すように、内側になる他方の漢字部品「木」Ｃ２がそのドラッグ操作に関係なく同一方の漢字部品「口」の中に引き寄せられるように強制的に移動されて表示された後（ステップＳ１７）、その組み合わせ漢字「困」ＣＮが前記漢字部品組合せテーブル２２ｂ２（図３（Ｂ）参照）から読み出され、図１０（Ｃ）に示すように、前記拡大表示された各漢字部品Ｃ１，Ｃ２と置き換えられて表示される（ステップＳ１３）。
【００６９】
また、前記漢字部品組合せテーブル２２ｂ２（図３（Ｂ）参照）から当該組合せ漢字「困」ＣＮの読み（こま・る／コン）が読み出され、前記置き換えられた組合せ漢字「困」ＣＮに対応付けてルビ表示ＲＮされる（ステップＳ１４）。
【００７０】
これにより、ユーザ（学習者）は漢字「困」の存在を全く知らない場合でも、漢字部品「口」（くにがまえ）Ｃ１の中に漢字部品「木」（き／モク）Ｃ２を組み合わせた漢字「困」（こま・る／コン）ＣＮが存在することを、興味深く且つ直感的に知ることができる。
【００７１】
図１１は、前記電子辞書装置１０の情報表示制御処理に伴う漢字学習画面Ｇの表示動作（部品イメージ画像モード）を示す図である。
【００７２】
漢字学習のアプリケーションが選択されて情報表示制御プログラム２２ａが起動され、漢字部品をイメージ画像にして扱うための部品イメージ画像モードに設定されたと判断されると（ステップＳ１（Ｙｅｓ））、漢字部品・画像テーブル２２ｃ（図４参照）から前記漢字部品組合せテーブル２２ｂ１，２２ｂ２，…に記憶された各漢字部品に対応する部品イメージ画像Ｃ１ｐ，Ｃ２ｐ，…が読み出され、図１１（Ａ）に示すように、タッチパネル表示部１３の漢字学習画面Ｇ上に部品イメージ画像一覧ＬＣｐとして表示される（ステップＳ２２）。
【００７３】
この部品イメージ画像一覧ＬＣｐから第１部品イメージ画像［木の画像］Ｃ１ｐを指定して画面中央にドラッグｄすると、前記漢字部品・画像テーブル２２ｃに基づき第１漢字部品「木」Ｃ１に変換されて表示され（ステップＳ３）、さらに、当該第１漢字部品「木」用の漢字部品組合せテーブル２２ｂ１（図３（Ａ）参照）からその読み（き／モク）が読み出されてルビ表示Ｒ１される（ステップＳ４）。
【００７４】
続いて、前記図１１（Ａ）〜図１１（Ｂ）に示すように、部品イメージ画像一覧ＬＣｐから第２部品イメージ画像［口の画像］Ｃ２ｐを指定して前記第１漢字部品「木」Ｃ１の下の位置に向けてドラッグｄすると、前記漢字部品・画像テーブル２２ｃに基づき第２漢字部品「口」Ｃ２に変換されて表示され（ステップＳ５）、さらに、前記第１漢字部品「木」用の漢字部品組合せテーブル２２ｂ１（図３（Ａ）参照）からその読み（くち／コウ）が読み出されてルビ表示Ｒ２される（ステップＳ６）。
【００７５】
ここで、前記第１漢字部品「木」Ｃ１の外枠に接する所定領域Ａｒに第２漢字部品「口」Ｃ２が入ると、前記漢字部品組合せテーブル２２ｂ１（図３（Ａ）参照）が参照され、当該第１漢字部品「木」Ｃ１の下の位置に対し第２漢字部品「口」Ｃ２が組み合わせられた漢字「杏」が存在すると判断される（ステップＳ７（Ｙｅｓ））。
【００７６】
すると、前記第２漢字部品「口」Ｃ２が、第１漢字部品「木」Ｃ１の下の位置に引き寄せられるように移動される（ステップＳ８）。
【００７７】
ここで、第１漢字部品「木」Ｃ１に第２漢字部品「口」Ｃ２が接触したと判断され（ステップＳ１０（Ｙｅｓ））、また、第１漢字部品「木」Ｃ１に第２漢字部品「口」Ｃ２が重ならないと判断されると（ステップＳ１１（Ｎｏ））、その組み合わせ漢字「杏」ＣＮが前記漢字部品組合せテーブル２２ｂ１（図３（Ａ）参照）から読み出され、図１１（Ｃ）に示すように、前記各漢字部品Ｃ１，Ｃ２と置き換えられて表示される（ステップＳ１３）。
【００７８】
また、前記漢字部品組合せテーブル２２ｂ１（図３（Ａ）参照）から当該組合せ漢字「杏」ＣＮの読み（あんず／コウ）が読み出され、前記置き換えられた組合せ漢字「杏」ＣＮに対応付けてルビ表示ＲＮされる（ステップＳ１４）。
【００７９】
ここで、置き換えられた組合せ漢字「杏」ＣＮの読み（コウ）がその漢字部品「口」Ｃ２の読み（コウ）と対応していると判断されると（ステップＳ１９（Ｙｅｓ））、当該対応していると判断された組合せ漢字「杏」ＣＮの漢字部品「口」の部分と、ルビ表示ＲＮされたその読み（コウ）の部分とが、同じ太字や赤色等により識別表示される（ステップＳ２０）。
【００８０】
このように、部品イメージ画像モードでは、組み合わせの対象となる各漢字部品を部品イメージ画像一覧ＬＣｐからイメージ画像Ｃｎｐとして指定でき、前記同様に、漢字部品「木」（き／モク）Ｃ１の下に漢字部品「口」（くち／コウ）Ｃ２を組み合わせた漢字「杏」（あんず／コウ）ＣＮが存在することを、興味深く且つ直感的に知ることができる。
【００８１】
また、組合せ漢字「杏」ＣＮの読み（コウ）がその漢字部品「口」Ｃ２の読み（コウ）と対応している場合は、当該組合せ漢字「杏」ＣＮ内の該当する漢字部品「口」と対応する読み（コウ）とが同じ形態で識別表示されるので、当該識別表示された組合せ漢字「杏」ＣＮの読み（コウ）がその漢字部品「口」の読み（コウ）と同じであることを容易に知ることができる。
【００８２】
図１２は、前記電子辞書装置１０の情報表示制御処理に伴う漢字（簡体字）学習画面の表示動作（その１）を示す図である。
【００８３】
図１２（Ａ）に示すように、タッチパネル表示部１３に表示された漢字部品一覧ＬＣから、任意の第１漢字部品「重」Ｃ１を指定して画面中央にドラッグ(1)し、また任意の第２漢字部品「禾」Ｃ２を指定して前記第１漢字部品「重」Ｃ１の左の位置に向けてドラッグ(2)する（ステップＳ１〜Ｓ６）。
【００８４】
なお、ここでは各漢字部品Ｃ１，Ｃ２に対応するルビ表示Ｒ１，Ｒ２を省略して説明する。
【表２】
0005831312.tif 000003
【００８５】
【表３】
0005831312.tif 000004
【００８６】
【表４】
0005831312.tif 000005
【００８７】
【表５】
0005831312.tif 000006
【００８８】
【表６】
0005831312.tif 000007
【００８９】
図１３は、前記電子辞書装置１０の情報表示制御処理に伴う漢字（簡体字）学習画面の表示動作（その２）を示す図である。
【００９０】
図１３（Ａ）に示すように、タッチパネル表示部１３に表示された漢字部品一覧ＬＣから、任意の第１漢字部品「重」Ｃ１を指定して画面中央にドラッグ(1)し、また任意の第２漢字部品「足」Ｃ２を指定して前記第１漢字部品「重」Ｃ１の左の位置に向けてドラッグ(2)する（ステップＳ１〜Ｓ６）。
【００９１】
なお、ここでは各漢字部品Ｃ１，Ｃ２に対応するルビ表示Ｒ１，Ｒ２を省略して説明する。
【００９２】
ここで、前記第１漢字部品「重」Ｃ１の外枠に接する所定領域Ａｒに第２漢字部品「足」Ｃ２が入ると、第１漢字部品「重」用の漢字部品組合せテーブル２２ｂ３（図３（Ｃ）参照）が参照され、当該第１漢字部品「重」Ｃ１の左の位置に対し第２漢字部品「足」Ｃ２が組み合わせられた漢字（簡体字）「踵」が存在すると判断される（ステップＳ７（Ｙｅｓ））。
【００９３】
すると、前記第１漢字部品「重」Ｃ１の左の位置に前記第２漢字部品「足」Ｃ２が引き寄せられるように強制移動され（ステップＳ８）、前記漢字部品組合せテーブル２２ｂ３（図３（Ｃ）参照）において当該第２漢字部品「足」Ｃ２に対応する組合せ漢字（簡体字）「踵」には簡体字への置き換えフラグ“★”がセットされていると判断される（ステップＳ９（Ｙｅｓ））。
【表７】
0005831312.tif 000008
【００９４】
【表８】
0005831312.tif 000009
【００９５】
【表９】
0005831312.tif 000010
【００９６】
したがって、前記構成の情報端末装置１０の漢字部品組合せ表示機能によれば、漢字部品毎に当該漢字部品に組み合わせて漢字を構成する他の漢字部品をそれぞれその組み合わせる位置情報に対応付けて組み合わせた漢字と共に記憶した漢字部品組合せテーブル２２ｂを用意し、タッチパネル表示部１３に表示させた漢字部品一覧ＬＣから任意の第１漢字部品Ｃ１をドラッグｄして画面中央付近に表示させた後、任意の第２漢字部品Ｃ２をドラッグｄして前記第１漢字部品Ｃ１の任意の位置に接近させる。すると、前記第２漢字部品Ｃ２を第１漢字部品Ｃ１に接近させた位置で同第１漢字部品Ｃ１と組み合わせて構成される漢字ＣＮが前記漢字部品組合せテーブル２２ｂに存在するか否か判断され、存在する場合には前記第２漢字部品Ｃ２が第１漢字部品Ｃ１の該当位置に引き寄せられるように強制移動された後、組合せ漢字ＣＮに置き換えられて表示される。一方、存在しない場合には前記第２漢字部品Ｃ２はそのドラッグ操作に抗して第１漢字部品Ｃ１から強制離間され消滅される。
【００９７】
これにより、ユーザ（学習者）は前記組合せ漢字ＣＮの存在を全く知らない場合でも、前記第１漢字部品Ｃ１のその位置に前記第２漢字部品Ｃ２を組み合わせた漢字ＣＮが存在することを、興味深く且つ直感的に知ることができ、漢字の部品と当該部品の組み合わせからなる漢字を効果的に学習することが可能になる。
【００９８】
また、前記構成の情報端末装置１０の漢字部品組合せ表示機能によれば、前記漢字部品組合せテーブル２２ｂに記憶される漢字部品とその漢字部品の各位置に組み合わせられる他の漢字部品、そしてその組み合わせた漢字には、全てその読みが対応付けられて記憶され、前記漢字部品一覧ＬＣからドラッグｄされる第１漢字部品Ｃ１と第２漢字部品Ｃ２、そしてその組合せ漢字ＣＮには、何れもその読みが対応付けられてルビ表示Ｒ１，Ｒ２，ＲＮされる。そして、第１漢字部品Ｃ１や第２漢字部品Ｃ２の読み（Ｒ１）（Ｒ２）がその組合せ漢字ＣＮの読み（ＲＮ）と同じである場合には、当該組合せ漢字ＣＮにおける該当する漢字部品Ｃ１（Ｃ２）と組合せ漢字ＣＮの読み（ＲＮ）とが共に同じ識別形態で表示される。
【００９９】
これにより、漢字部品Ｃ１，Ｃ２の組み合わせにより存在した組合せ漢字ＣＮの読み（ＲＮ）と当該組合せ漢字ＣＮを構成する漢字部品Ｃ１（Ｃ２）の読みＲ１（Ｒ２）が同じで変化しない場合はそのことを容易に知り学習できる。
【０１００】
また、前記構成の情報端末装置１０の漢字部品組合せ表示機能によれば、例えば漢字部品「口」（くち／コウ）用の漢字部品組合せテーブル２２ｂ２の位置情報“中”の欄には、当該漢字部品「口」（くち／コウ）を拡大した場合の読み（くにがまえ）が記憶され、第１漢字部品「口」Ｃ１に対する第２漢字部品Ｃ２として前記漢字部品組合せテーブル２２ｂ２の“中”の欄の漢字部品「玉」Ｃ２が指定され、第１漢字部品「口」Ｃ１の中に向けてドラッグした場合には、当該第１漢字部品「口」Ｃ１は拡大表示されて対応する読み（くにがまえ）がルビ表示Ｒ１′される。そして、前記拡大された第１漢字部品「口」（くにがまえ）Ｃ１の中に引き込まれるように前記第２漢字部品「玉」Ｃ２が強制移動され、その組合せ漢字「国」ＣＮが表示される。
【０１０１】
これにより、ユーザが指定した一方の漢字部品Ｃ１（Ｃ２）が拡大されて他方の漢字部品Ｃ２（Ｃ１）と組み合わされた組合せ漢字ＣＮが得られる場合に、当該拡大された一方の漢字部品Ｃ１（Ｃ２）がその元の漢字部品と異なることを容易に知り学習できる。
【０１０２】
また、前記構成の情報端末装置１０の漢字部品組合せ表示機能によれば、前記漢字部品組合せテーブル２２ｂに記憶された各漢字部品をイメージ画像に置き換えるための漢字部品・画像テーブル２２ｃを用意し、前記漢字部品一覧ＬＣをその部品イメージ画像の一覧ＬＣｐとして表示させ、この一覧ＬＣｐから任意の第１部品イメージ画像Ｃ１ｐと任意の第２部品イメージ画像Ｃ２ｐとを順次指定してドラッグｄすることで、各対応する第１漢字部品Ｃ１と第２漢字部品Ｃ２とを指定可能な構成とする。
【０１０３】
これにより、ユーザ（学習者）は、組み合わせてみたい任意の漢字部品Ｃｎをそのイメージ画像Ｃｎｐによって楽しく指定して学習できる。
【０１０４】
さらに、前記構成の情報端末装置１０の漢字部品組合せ表示機能によれば、漢字部品の組み合わせによってその組み合わされた漢字の字体が変化する簡体字学習用の漢字部品組合せテーブル２２ｂ３を用意する。そして、前記ユーザによる任意の第１漢字部品Ｃ１の任意の位置に対する任意の第２漢字部品Ｃ２のドラッグ操作に伴い、前記漢字部品組合せテーブル２２ｂ３に当該各漢字部品Ｃ１，Ｃ２を組み合わせた組合せ漢字ＣＮが存在し且つその組み合わせられた漢字部品Ｃ１（Ｃ２）が変化する場合には、ドラッグされた漢字部品Ｃ１（Ｃ２）を変化した漢字部品Ｃ１′（Ｃ２′）に一旦置き換えて表示した後に、組合せ漢字ＣＮに置き換えて表示する構成とする。
【０１０５】
これにより、ユーザ（学習者）は、簡体字の学習に伴い組み合わされる漢字部品に変化がある場合には、変化する漢字部品を明確に確認してから組み合わせた漢字（簡体字）を知ることができる。
【０１０６】
なお、前記実施形態において記載した電子辞書装置１０による各処理の手法およびデータベース、すなわち、図５のフローチャートに示す情報表示制御処理（その１）、図６のフローチャートに示す情報表示制御処理（その２）などの各手法、および漢字部品組合せテーブル（読みテーブル付き）２２ｂ、漢字部品・画像テーブル２２ｃなどの各データベースは、何れもコンピュータに実行させることができるプログラムとして、メモリ・カード（ＲＯＭカード、ＲＡＭカード等）、磁気ディスク（フロッピディスク、ハードディスク等）、光ディスク（ＣＤ−ＲＯＭ、ＤＶＤ等）、半導体メモリ等の外部記憶媒体２３に格納して配布することができる。そして、タッチパネル式の表示部（１３）を備えた電子機器のコンピュータは、この外部記憶媒体２３に記憶されたプログラムを記憶装置（２２）に読み込み、この読み込んだプログラムによって動作が制御されることにより、前記実施形態において説明した漢字部品組合せ表示機能を実現し、前述した手法による同様の処理を実行することができる。
【０１０７】
また、前記各手法を実現するためのプログラムのデータは、プログラムコードの形態としてネットワークＮ上を伝送させることができ、このプログラムデータを、ネットワークＮに接続されたタッチパネル式の表示部（１３）を備えた電子機器のコンピュータに通信部２５によって取り込むことで、前述した漢字部品組合せ表示機能を実現することもできる。
【０１０８】
本願発明は、前記実施形態に限定されるものではなく、実施段階ではその要旨を逸脱しない範囲で種々に変形することが可能である。さらに、前記実施形態には種々の段階の発明が含まれており、開示される複数の構成要件における適宜な組み合わせにより種々の発明が抽出され得る。例えば、実施形態に示される全構成要件から幾つかの構成要件が削除されたり、幾つかの構成要件が異なる形態にして組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【０１０９】
以下に、本願出願の当初の特許請求の範囲に記載された発明を付記する。
【０１１０】
［１］
漢字部品毎に、当該漢字部品に組み合わせて漢字を構成する他の漢字部品をそれぞれその組み合わせる位置情報に対応付けて当該組み合わせた漢字と共に記憶する漢字部品組合せ記憶手段と、
ユーザ操作に応じて第１の漢字部品を指定する漢字部品指定手段と、
ユーザ操作に応じて第２の漢字部品とその組み合わせる位置とを指定する漢字部品位置指定手段と、
前記漢字部品指定手段により指定された第１の漢字部品と前記漢字部品位置指定手段により指定された第２の漢字部品およびその組み合わせる位置とに基づいて、前記漢字部品組合せ記憶手段により記憶される各漢字部品を組み合わせた漢字の中に該当する漢字が存在するか否かを判断する組合せ可否判断手段と、
この組合せ可否判断手段による判断結果に応じた表示を行う組合せ可否表示手段と、
を備えたことを特徴とする漢字表示装置。
【０１１１】
［２］
タッチパネル式の表示画面と、
この表示画面に複数の漢字部品を表示させる漢字部品表示手段とを備え、
前記漢字部品指定手段は、前記漢字部品表示手段により表示された複数の漢字部品からユーザ操作に応じて指定した第１の漢字部品を表示画面内にドラッグする漢字部品指定ドラッグ手段であり、
前記漢字部品位置指定手段は、前記漢字部品表示手段により表示された複数の漢字部品からユーザ操作に応じて指定した第２の漢字部品を前記漢字部品指定ドラッグ手段により表示画面内にドラッグされた第１の漢字部品の組み合わせる位置に向けてドラッグする漢字部品位置指定ドラッグ手段であり、
前記組合せ可否表示手段は、
前記組合せ可否判断手段により前記第１の漢字部品と前記第２の漢字部品およびその組み合わせる位置とに対応した漢字が存在すると判断された場合は、前記漢字部品位置指定ドラッグ手段によりドラッグされる第２の漢字部品を前記第１の漢字部品に近づく方向に強制移動して表示させ、
前記組合せ可否判断手段により前記第１の漢字部品と前記第２の漢字部品およびその組み合わせる位置とに対応した漢字が存在しないと判断された場合は、前記漢字部品位置指定ドラッグ手段によりドラッグされる第２の漢字部品を前記第１の漢字部品から離れる方向に強制移動して表示させる、
ことを特徴とする［１］に記載の漢字表示装置。
【０１１２】
［３］
前記組合せ可否表示手段は、
前記組合せ可否判断手段により前記第１の漢字部品と前記第２の漢字部品およびその組み合わせる位置とに対応した漢字が存在すると判断された場合は、前記漢字部品位置指定ドラッグ手段によりドラッグされる第２の漢字部品を前記第１の漢字部品に近づく方向に強制移動して表示させた後、当該第１の漢字部品と第２の漢字部品とを前記組み合わせた漢字に置き換えて表示させる組合せ漢字表示手段と、
前記組合せ可否判断手段により前記第１の漢字部品と前記第２の漢字部品およびその組み合わせる位置とに対応した漢字が存在しないと判断された場合は、前記漢字部品位置指定ドラッグ手段によりドラッグされる第２の漢字部品を前記第１の漢字部品から離れる方向に強制移動して表示させた後に消滅させる漢字部品消滅手段と、
を有することを特徴とする［２］に記載の漢字表示装置。
【０１１３】
［４］
前記漢字部品組合せ記憶手段により記憶される各漢字部品、他の漢字部品、組み合わせた漢字のそれぞれに対応付けてその読みを記憶する読み記憶手段と、
前記漢字部品指定ドラッグ手段によりドラッグされる第１の漢字部品に対応付けて前記読み記憶手段により記憶された当該第１の漢字部品の読みを表示させる第１の漢字部品読み表示手段と、
前記漢字部品位置指定ドラッグ手段によりドラッグされる第２の漢字部品に対応付けて前記読み記憶手段により記憶された当該第２の漢字部品の読みを表示させる第２の漢字部品読み表示手段と、
前記組合せ漢字表示手段により表示される組み合わせた漢字に対応付けて前記読み記憶手段により記憶された当該組み合わせた漢字の読みを表示させる組合せ漢字読み表示手段と、
前記組合せ漢字表示手段により前記第１の漢字部品と第２の漢字部品とが前記組み合わせた漢字に置き換えられて表示された際に、前記組合せ漢字読み表示手段により表示された当該組み合わせた漢字の読みと、前記第１の漢字部品読み表示手段により表示された当該第１の漢字部品の読み又は前記第２の漢字部品読み表示手段により表示された当該第２の漢字部品の読みとが同じか否かを判断する読み同一判断手段と、
この読み同一判断手段により前記組み合わせた漢字の読みと前記第１又は第２の漢字部品の読みとが同じであると判断された場合は、前記組合せ漢字表示手段により表示された組み合わせた漢字の前記同じであると判断された漢字部品の部分と前記組合せ漢字読み表示手段により表示された組み合わせた漢字の読みとを同じ表示形態で識別して表示させる識別表示手段と、
を備えたことを特徴とする［３］に記載の漢字表示装置。
【０１１４】
［５］
前記漢字部品位置指定ドラッグ手段によりドラッグされる第２の漢字部品が前記漢字部品指定ドラッグ手段によりドラッグされた第１の漢字部品の中又は外に組み合わされる漢字部品である場合に、外側になる漢字部品を拡大して表示させると共に、当該拡大された漢字部品の中に内側になる漢字部品を表示させる漢字部品拡大組合せ表示手段と、
この漢字部品拡大組合せ表示手段により拡大して表示された漢字部品の読みが変化した場合は、当該漢字部品に対応付けて変化後の読みを表示させる読み変化表示手段と、
を備えたことを特徴とする［４］に記載の漢字表示装置。
【０１１５】
［６］
タッチパネル式の表示画面と、
複数の漢字部品と当該各漢字部品のイメージ画像とを対応付けて記憶する部品イメージ画像記憶手段と、
前記表示画面に前記部品イメージ画像記憶手段により記憶される複数の漢字部品のイメージ画像を表示させる部品イメージ画像表示手段とを備え、
前記漢字部品指定手段は、前記部品イメージ画像表示手段により表示された複数の漢字部品のイメージ画像からユーザ操作に応じて指定した第１の漢字部品のイメージ画像を表示画面内にドラッグするイメージ画像指定ドラッグ手段であり、
前記漢字部品位置指定手段は、前記部品イメージ画像表示手段により表示された複数の漢字部品のイメージ画像からユーザ操作に応じて指定した第２の漢字部品のイメージ画像を前記イメージ画像指定ドラッグ手段により表示画面内にドラッグされた第１の漢字部品のイメージ画像の組み合わせる位置に向けてドラッグするイメージ画像位置指定ドラッグ手段であり、
前記イメージ画像指定ドラッグ手段によりドラッグされた第１の漢字部品のイメージ画像と前記イメージ画像位置指定ドラッグ手段によりドラッグされた第２の漢字部品のイメージ画像とをそれぞれ前記部品イメージ画像記憶手段により記憶された各対応する第１の漢字部品と第２の漢字部品とに置き換えて表示させる画像部品置き換え表示手段を備え、
前記組合せ可否表示手段は、
前記組合せ可否判断手段により前記第１の漢字部品と前記第２の漢字部品およびその組み合わせる位置とに対応した漢字が存在すると判断された場合は、前記イメージ画像位置指定ドラッグ手段によりドラッグされ前記画像部品置き換え表示手段により置き換えられた第２の漢字部品を前記第１の漢字部品に近づく方向に強制移動して表示させ、
前記組合せ可否判断手段により前記第１の漢字部品と前記第２の漢字部品およびその組み合わせる位置とに対応した漢字が存在しないと判断された場合は、前記イメージ画像位置指定ドラッグ手段によりドラッグされ前記画像部品置き換え表示手段により置き換えられた第２の漢字部品を前記第１の漢字部品から離れる方向に強制移動して表示させる、
ことを特徴とする［１］に記載の漢字表示装置。
【０１１６】
［７］
前記組合せ可否判断手段により前記第１の漢字部品と前記第２の漢字部品およびその組み合わせる位置とに対応した漢字が存在すると判断された場合に、当該漢字が前記第１の漢字部品又は第２の漢字部品の形状が変化して組み合わされた漢字か否かを判断する形状変化判断手段を備え、
前記組合せ可否表示手段は、
前記組合せ可否判断手段により前記第１の漢字部品と前記第２の漢字部品およびその組み合わせる位置とに対応した漢字が存在すると判断された場合であって、且つ前記形状変化判断手段により当該漢字が前記第１の漢字部品又は第２の漢字部品の形状が変化して組み合わされた漢字であると判断された場合は、前記漢字部品位置指定ドラッグ手段によりドラッグされる第２の漢字部品を前記第１の漢字部品に近づく方向に強制移動して表示させると共に、当該第１の漢字部品又は第２の漢字部品を前記変化した形状に変えて表示させる、
ことを特徴とする［２］に記載の漢字表示装置。
【０１１７】
［８］
メモリと表示部とを備えた電子機器のコンピュータを制御するためのプログラムであって、
前記コンピュータを、
漢字部品毎に、当該漢字部品に組み合わせて漢字を構成する他の漢字部品をそれぞれその組み合わせる位置情報に対応付けて当該組み合わせた漢字と共に前記メモリに記憶させる漢字部品組合せ記憶手段、
ユーザ操作に応じて第１の漢字部品を指定する漢字部品指定手段、
ユーザ操作に応じて第２の漢字部品とその組み合わせる位置とを指定する漢字部品位置指定手段、
前記漢字部品指定手段により指定された第１の漢字部品と前記漢字部品位置指定手段により指定された第２の漢字部品およびその組み合わせる位置とに基づいて、前記漢字部品組合せ記憶手段により記憶される各漢字部品を組み合わせた漢字の中に該当する漢字が存在するか否かを判断する組合せ可否判断手段、
この組合せ可否判断手段による判断結果に応じた表示を前記表示部にて行う組合せ可否表示手段、
として機能させるためのプログラム。
【符号の説明】
【０１１８】
１０  …タッチパネル式情報端末装置
１１  …装置本体
１２  …キー入力部
１３  …タッチパネル表示部
１３ｄ…カラー液晶表示画面
１３ｔ…透明タッチパネル
２１  …ＣＰＵ
２２  …メモリ
２２ａ…情報表示制御処理プログラム
２２ｂ…漢字部品組合せテーブル（読みテーブル付き）
２２ｃ…漢字部品・画像テーブル
２２ｄ…表示データ領域
２２ｅ…漢字部品指定データ領域
２３  …外部記録媒体
２４  …記録媒体読み書き部
２５  …通信部
３０  …Ｗｅｂサーバ
Ｎ    …通信ネットワーク
Ｇ    …漢字学習画面
Ｐ    …タッチペン
ＬＣ  …漢字部品一覧
Ｃ１  …第１漢字部品
Ｃ２  …第２漢字部品
ＬＣｐ…部品イメージ画像一覧
Ｃ１ｐ…第１部品イメージ画像
Ｃ２ｐ…第２部品イメージ画像
ＣＮ…組合せ漢字
Ｒ１…第１漢字部品のルビ表示
Ｒ２…第２漢字部品のルビ表示
ｄ  …ドラッグ軌跡
【図１】
0005831312.tif 000011
【図２】
0005831312.tif 000012
【図３】
0005831312.tif 000013
【図４】
0005831312.tif 000014
【図５】
0005831312.tif 000015
【図６】
0005831312.tif 000016
【図７】
0005831312.tif 000017
【図８】
0005831312.tif 000018
【図９】
0005831312.tif 000019
【図１０】
0005831312.tif 000020
【図１１】
0005831312.tif 000021
【図１２】
0005831312.tif 000022
【図１３】
0005831312.tif 000023